(57)【特許請求の範囲】
【請求項１】
内板と外板との間に設けられた断熱パネルが接着剤で前記内板及び前記外板の少なくとも一方に接着された断熱壁を複数組み合わせて箱状に設けられた断熱箱体と、
放電電極に電圧を印加して前記断熱箱体の内部でナノメータサイズのピーク粒径を有し活性種を含む帯電微粒子水を発生させる発生装置と、
前記断熱壁の端部において前記内板と前記外板との間の空間を閉塞する閉塞部材と、
前記閉塞部材と前記内板との間に形成され前記空間と前記断熱箱体内部とを仕切る分割部と、
前記帯電微粒子水が前記分割部から前記接着剤に到達することを防止する防止手段と
を備えることを特徴とする冷蔵庫。
【請求項２】
前記防止手段は、前記分割部を覆う被覆部材であることを特徴とする請求項１に記載の冷蔵庫。
【請求項３】
前記防止手段は、前記空間に配設された断熱材であることを特徴とする請求項１に記載の冷蔵庫。
【請求項４】
前記防止手段は、前記分割部から前記接着剤へ至る経路内を冷却する冷却手段又は、前記分割部から前記接着剤へ至る経路内を加熱する加熱手段であることを特徴とする請求項１に記載の冷蔵庫。
【請求項５】
前記閉塞部材は、前記断熱壁に対して角度を付けて配置された隣接する断熱壁であり、
前記防止手段が、隣接する前記断熱壁の突き合わせ部分に形成された空間に配設されていることを特徴とする請求項１に記載の冷蔵庫。
【請求項６】
前記断熱パネルは、前記内板及び前記外板の両方に接着されていることを特徴とする請求項１〜５のいずれか１項に記載の冷蔵庫。
【請求項７】
前記断熱パネルが、真空断熱パネルであることを特徴とする請求項１〜６のいずれか１項に記載の冷蔵庫。
【請求項８】
前記真空断熱パネルは、芯材と、前記芯材を収容して内部が減圧密封される袋体とを備え、
前記袋体が、金属層を含むことを特徴とする請求項１〜７のいずれか１項に記載の冷蔵庫。
【発明の詳細な説明】
【技術分野】
【０００１】
本実施形態は、冷蔵庫に関する。
【背景技術】
【０００２】
従来、放電電極に電圧を印加して水を含んだ帯電粒子を発生させる発生装置を冷蔵庫内に設け、庫内の食品の鮮度保持能力の向上や脱臭・抗菌効果を促す冷蔵庫が提案されている（例えば、下記特許文献１参照）。
【０００３】
ところで、冷蔵庫の断熱部材を断熱効果に優れる真空断熱パネルから構成し、その断熱パネルを箱状の内箱や外箱に接着剤で接着して冷蔵庫の筐体や冷蔵庫扉を構成することが考えられる。
【０００４】
このような断熱パネルを接着剤で内箱や外箱に接着した場合に、冷蔵庫内で水を含んだ帯電粒子を発生すると、帯電粒子が内箱に存在する隙間から進入し断熱パネルと内箱や外箱とを接合する接着剤まで到達するおそれがある。帯電微粒子は水を含んでいるため、接着剤に到達すると接着剤を劣化させ内箱や外箱から断熱パネルが剥離する可能性がある。
【先行技術文献】
【特許文献】
【０００５】
【特許文献１】特開２０１１−２２６７６０号公報
【発明の概要】
【発明が解決しようとする課題】
【０００６】
そこで、断熱パネルを接着する接着剤の劣化を抑え耐久性に優れる冷蔵庫を提供することを目的とする。
【課題を解決するための手段】
【０００７】
本実施形態の冷蔵庫は、内板と外板との間に設けられた断熱パネルが接着剤で前記内板及び前記外板の少なくとも一方に接着された断熱壁を複数組み合わせて箱状に設けられた断熱箱体と、放電電極に電圧を印加して前記断熱箱体の内部でナノメータサイズのピーク粒径を有し活性種を含む帯電微粒子水を発生させる発生装置と、前記断熱壁の端部において前記内板と前記外板との間の空間を閉塞する閉塞部材と、前記閉塞部材と前記内板との間に形成され前記空間と前記断熱箱体内部とを仕切る分割部と、前記帯電微粒子水が前記分割部から前記接着剤に到達することを防止する防止手段とを備えることを特徴とする。
【図面の簡単な説明】
【０００８】
【図１】第１の実施形態を示す冷蔵庫を構成する断熱箱体および固定具の斜視図
【図２】冷蔵庫の斜視図
【図３】冷蔵庫の内部を右方向から見た斜視図
【図４】冷蔵庫の内部を左方向から見た斜視図
【図５】断熱箱体の縦断側面図
【図６】断熱箱体の内部の冷蔵室を概略的に示す横断平面図
【図７】分割断熱壁の分解斜視図
【図８】断熱箱体の前面側の右部を概略的に示す横断平面図
【図９】断熱箱体の左奥側のコーナー部を概略的に示す横断平面図
【図１０】断熱箱体の左奥側のコーナー部に設けられた固定具の取り付け状態を示す斜視図
【図１１】断熱箱体の左奥側のコーナー部に固定具が取り付られる前の状態を示す斜視図
【図１２】断熱箱体の左奥側のコーナー部に設けられる固定具の斜視図
【図１３】断熱箱体の左奥側のコーナー部に設けられる固定具の正面図
【図１４】断熱箱体の左奥側のコーナー部に設けられる固定具の分解斜視図
【図１５】図１３のＡ−Ａ線に沿う断面図
【図１６】図１３のＢ−Ｂ線に沿う断面図
【図１７】図１３のＣ−Ｃ線に沿う断面図
【図１８】図１３のＤ−Ｄ線に沿う断面図
【図１９】図１３のＥ−Ｅ線に沿う断面図
【図２０】断熱箱体の左奥側のコーナー部に設けられる固定具の取り付け状態を示す横断平面図（その１）
【図２１】断熱箱体の左奥側のコーナー部に設けられる固定具の取り付け状態を示す横断平面図（その２）
【図２２】断熱箱体の右奥側のコーナー部を概略的に示す横断平面図
【図２３】断熱箱体の右奥側のコーナー部に設けられる固定具の取り付け状態を示す斜視図
【図２４】断熱箱体の右奥側のコーナー部に固定具が取り付られる前の状態を示す斜視図
【図２５】断熱箱体の右奥側のコーナー部に設けられる固定具の斜視図
【図２６】断熱箱体の右奥側のコーナー部に設けられる固定具の正面図
【図２７】断熱箱体の右奥側のコーナー部に設けられる固定具の分解斜視図
【図２８】図２６のＦ−Ｆ線に沿う断面図
【図２９】図２６のＧ−Ｇ線に沿う断面図
【図３０】図２６のＨ−Ｈ線に沿う断面図
【図３１】図２６のＩ−Ｉ線に沿う断面図
【図３２】第２の仕切り部材の右端部付近を示す縦断正面図
【図３３】左面用分割断熱壁に固定具を取り付けた状態を示す斜視図
【図３４】真空断熱パネルの構造を示す部分断面図
【図３５】第２の実施形態の断熱箱体の左奥側のコーナー部を概略的に示す横断平面図
【図３６】第３の実施形態の断熱箱体の左前端部を示す縦断正面図
【発明を実施するための形態】
【０００９】
複数の実施形態について、図面を参照して説明する。なお、図面を参照して方向を示す場合、便宜上、冷蔵庫の扉側を「前側」とし、冷蔵庫を正面から見た場合の右側を「右側」として説明する。
【００１０】
（第１の実施形態）
以下、第１の実施形態について、図１〜図３３を参照して説明する。
【００１１】
まず、図２に示す冷蔵庫１１は、図１〜図６に示す断熱箱体１２と、その断熱箱体１２内を冷却するための図示しない冷凍サイクルとを備えている。
【００１２】
断熱箱体１２は、図５および図６に示すように、外箱１３と、内箱１４と、外箱１３と内箱１４との間に設けられている断熱パネル１５とを有している。断熱箱体１２は、前面が開口した箱状に構成され、内箱１４の内部に収容空間、例えば貯蔵室、必要に応じてダクトが設けられる空間などを形成している。
【００１３】
外箱１３は、スチール製であり、前面が開口した箱状に構成されている。外箱１３は、図１および図３〜図６に示すように、当該外箱１３を複数に分割してなる複数枚の外板からなる壁を組み合わせて構成されている。具体的には、外箱１３は、板状の上面壁１６と、平板状の底面壁１７と、平板状の右面壁１８と、平板状の左面壁１９と、平板状の背面壁２０とから構成されている。上面壁１６は、前後方向で段差状をなし、前部が底面壁１７と平行な平板状をなし、後部が前部よりも下側に位置して底面壁１７と平行な平板状をなしている。右面壁１８と左面壁１９とは左右対称の形状である。上面壁１６の後部上には、図３〜図５に示すように、機械室２１が形成されている。機械室２１には、上述した冷凍サイクルを構成する図示しない圧縮機などが設けられている。機械室２１の床面には、図５に示すように、離間部２１１が形成されている。離間部２１１は、隣り合った断熱パネル１５間に隙間を設けることにより形成された開口である。この実施形態では、断熱箱体１２の上面に位置する断熱パネル１５と背面に位置する断熱パネル１５とが離間して配置されることにより、離間部２１１が形成されている。また、断熱箱体１２の後部の下部には冷蔵用、冷凍用、あるいは制御などに用いられる部品、凝縮器などを収容する部品収容室２１２が形成されている。また、部品収納室２１２の上面には、離間部２１３が形成されている。離間部２１３は、断熱箱体１２の底面に位置する断熱パネル１５と背面に位置する断熱パネル１５とが離間して配置されることにより形成されている。
【００１４】
内箱１４は、樹脂製であり、前面が開口した箱状をなし、外箱１３の内部に設けられている。内箱１４は、図１および図３〜図６に示すように、当該内箱１４を複数に分割してなる複数枚の内板からなる壁を組み合わせて構成されている。具体的には、内箱１４は、板状の上面壁２２と、平板状の底面壁２３と、平板状の右面壁２４と、平板状の左面壁２５と、平板状の背面壁２６とから構成されている。内箱１４の上面壁２２も、外箱１３の上面壁１６と同様に、前後方向で段差状をなし、前部が底面壁２３と平行な平板状をなし、後部が前部よりも下側に位置して底面壁２３と平行な平板状をなしている。右面壁２４と左面壁２５とは左右対称の形状である。
【００１５】
内箱１４の左面壁２５および背面壁２６のそれぞれには、図１および図１１に示すように、内箱１４の外面側から当該内箱１４の内面側すなわち貯蔵室側に突出する支持部材２７が複数個設けられている。なお、内箱１４の右面壁２４にも、図２４に示すように、同様の支持部材２７が設けられている。
【００１６】
支持部材２７は、例えば、樹脂製のブロックであり、図２０および図２１に示すように、基端部が断熱パネル１５に接着して固定され、他端部である先端部が、内箱１４の壁、例えば図２０および図２１では左面壁２５および背面壁２６に形成した開口部２８を貫通している。さらに、内箱１４の右面壁２４における背面壁２６側の上下方向に並んで設けられている支持部材２７、および内箱１４の背面壁２６における右面壁２４側および左面壁２５側の上下方向に並んで設けられている支持部材２７の先端部側には、ねじ穴２７１が形成されている。なお、図示はしないが、内箱１４の右面壁２４における背面壁２６側の上下方向に並んで設けられている支持部材２７の突出している先端部にも、同様のねじ穴が形成されている。なお、支持部材２７が、図２０および図２１に示すように、基端部に鍔部２７２を有する構成とし、鍔部２７２が断熱パネル１５と内箱１４の外面とで挟持される構成としてもよい。支持部材２７が鍔部２７２を有することにより、支持部材２７が開口部２８から貯蔵室側に落ちてしまうことを防止できる。また、支持部材２７は、内箱１４の壁とは別の部材ではなく、内箱１４に一体に成形させてもよい。
【００１７】
図５および図６に示すように、外箱１３の上面壁１６と内箱１４の上面壁２２、外箱１３の底面壁１７と内箱１４の底面壁２３、外箱１３の右面壁１８と内箱１４の右面壁２４、外箱１３の左面壁１９と内箱１４の左面壁２５、外箱１３の背面壁２０と内箱１４の背面壁２６は、それぞれ断熱パネル１５を介して対向して設けられている。なお、図６に、外箱１３の右面壁１８と内箱１４の右面壁２４とが対向し、外箱１３の左面壁１９と内箱１４の左面壁２５とが対向し、外箱１３の背面壁２０と内箱１４の背面壁２６とが対向した状態を概略的に示す。
【００１８】
断熱パネル１５は、断熱性能に優れたもの、例えばウレタンなどの発泡断熱材やソフトテープなどよりも熱伝導率が低いものであり、具体例としては、図３４に示すような平板状の真空断熱パネルである。
【００１９】
この真空断熱パネル１５は、取付けられる壁よりもやや小さい矩形状に成形された矩形板状の芯材１３１を袋体たる外袋体１３２内に収容し、外袋体１３２の内部を真空減圧状態に保持したまま密封して構成されたものである。具体的には、芯材１３１は、断熱性の高い材料、例えば、グラスウールやシリカアルミナなどの無機繊維、又はシリカ粉末などの無機粉体からなる積層材１３１ａを、例えばポリエチレンなどの合成樹脂フィルムからなる内袋１３１ｂに収納した後、矩形板状に圧縮硬化されて成形されたものである。この芯材１３１は、ガスバリア性能を有する外袋体１３２に収容された状態で、外袋体１３２内が真空排気されて減圧される。減圧を維持したまま外袋体１３２の開口部が熱溶着により密封されて外袋体１３２が密閉される。
【００２０】
外袋体１３２は、２枚の積層フィルムを周囲部において熱溶着によって貼り合わされて構成されている。具体的には、外袋体１３２は、一方の面にアルミ箔フィルム１３３を有している。このアルミ箔フィムル１３３は、ガスバリア性を有する金属箔層たるアルミ箔層１３３ｂを含んで構成されている。また、他方の面には、アルミ蒸着フィルム１３４を有している。このアルミ蒸着フィルム１３４は、ガスバリア性を有する金属蒸着層たるアルミ蒸着層１３４ｂを含んで構成されている。この場合、アルミ箔フィルム１３３は、外側から芯材１３１側に向かって、表面保護層１３３ａと、ガスバリア層となるアルミ箔層１３３ｂと、熱溶着層１３３ｃとを順に有する３層構造とされている。これに対し、アルミ蒸着フィルム１３４は、外側から芯材１３１側に向かって、表面保護層１３４ａと、ガスバリア層となるアルミ蒸着層１３４ｂと、熱溶着層１３４ｃとを順に有する３層構造とされている。このように、アルミ箔フィルム１３３とアルミ蒸着フィルム１３４とでは、ガスバリア層の材質をアルミ箔層１３３ｂとするかアルミ蒸着層１３４ｂとするかの点で異なっている。
【００２１】
断熱パネル１５は、平板状の板厚方向の一面が内箱１４の外面に接着され、かつ、一面とは反対側の他面が外箱１３の内面に接着されている。すなわち、断熱箱体１２の内部は、断熱パネル１５が外板および内板に当接して配置されることにより構成されている。図７に一例として、外箱１３の左面壁１９と、外箱１３の左面壁１９に対向して設けられている内箱１４の左面壁２５との間に断熱パネル１５が挟まれて設けられた構成を示す。この構成において、断熱パネル１５と外箱１３の内面この場合左面壁１９との間には、断熱パネル１５と左面壁１９とを接着させる接着剤２９が設けられている。さらに、断熱パネル１５と内箱１４の外面この場合左面壁２５との間にも、断熱パネル１５と左面壁２５とを接着させる接着剤３０が設けられている。
【００２２】
接着剤２９，３０としては、ホットメルトなどの熱可塑性の樹脂接着剤、液体状の接着剤、両面テープなど、外箱１３や内箱１４と断熱パネル１５とを強固に接着固定することができるものであれば特に限定されないが、親水性の接着剤であると水を吸収することで膨張する可能性があるため、疎水性の接着剤が好ましく、さらには、導電性の接着剤であると帯電する可能性があるため、導電性フィラーなどを含まない非導電性の接着剤が好ましい。
【００２３】
なお、上述した支持部材２７は、この接着剤３０によって断熱パネル１５に接着されている。また、支持部材２７は、固定具５１と係合することにより、外箱１３および内箱１４に当接した構成としてもよい。
【００２４】
このように、外箱１３の壁１６〜２０と、外箱１３に対向して設けられた内箱１４の壁２２〜２６と、その外箱１３の壁１６〜２０と内箱１４の壁２２〜２６との間に設けられた断熱パネル１５とを、接着剤２９，３０によって接着することにより、この外箱１３の一の壁とその外箱１３に対応する内箱１４の一の壁と、それらの壁の間に設けられた断熱パネル１５とが一体となる。この一体となったものを断熱壁、この実施形態では分割断熱壁３１と称する。
【００２５】
本実施形態の分割断熱壁３１は、断熱パネル１５がこれを取付ける外箱１３及び内箱１４を構成する壁よりもやや小さく設けられていることから、図８、図２０及び図２１に示すように、分割断熱壁３１の端部に、外板からなる壁１６〜２０と内板かならなる壁２２〜２６との間に断熱パネル１５が配設されていない空間１４０が形成されている。
【００２６】
なお、断熱箱体１２は、複数の分割断熱壁３１を組み合わせて箱状に構成されている。具体的には、図１に示すように、断熱箱体１２は、当該断熱箱体１２の上面壁を構成する上面用分割断熱壁３１１、当該断熱箱体１２の床面壁を構成する床面用分割断熱壁３１２、当該断熱箱体１２の右面壁である側壁を構成する右面用分割断熱壁３１３、当該断熱箱体１２の左面壁である側壁を構成する左面用分割断熱壁３１４、当該断熱箱体１２の背面壁を構成する背面用分割断熱壁３１５の５枚を組み合わせて構成されている。また、右面用分割断熱壁３１３および左面用分割断熱壁３１４は、左右対称の形状であり、対向して配置されている。
【００２７】
ここで、断熱箱体１２の左右の壁を形成する右面用分割断熱壁３１３および左面用分割断熱壁３１４の前端部について図３、図４および図８を参照して説明する。なお、上述したように、右面用分割断熱壁３１３と左面用分割断熱壁３１４とは左右対称であるため、右面用分割断熱壁３１３の前端部について説明する。
【００２８】
図３および図４に示すように、右面用分割断熱壁３１３の前端部の上下方向の中央部および下部付近の２箇所には、外箱１３の右面壁１８の前端部に折り曲げ部３２が形成されている。２箇所の折り曲げ部３２は同様の構成であるため、右面用分割断熱壁３１３の前端部の上下方向の中央部に設けられている折り曲げ部３２について説明する。
【００２９】
折り曲げ部３２は、図８に示すように、右面壁１８の前端部から左方向に折り曲がり、引き続き内箱１４の右面壁２４の前方において後方側に折り曲がり、さらに、断熱パネル１５側に折り曲がった形状である。すなわち、折り曲げ部３２は、左右方向に延びる２つの平坦部３２１と、ほぼ３６０°に折り曲がっている湾曲部３２２とから構成され、上方から見てＵ字状をなしている。２つの平坦部３２１は、互いにほぼ対向しているとともに、断熱パネル１５の前方に位置している。また、湾曲部３２２は、内箱１４の右面壁２４の前方に位置し、折り曲げ部３２の平坦部３２１の先端面が断熱箱体１２の外面に位置しないように、折り曲げ部３２の端部が後方側になるように折り曲がっている。さらに、折り曲げ部３２の湾曲部３２２と内箱１４の右面壁２４の前端部との間には開口部３３が形成されるとともに、折り曲げ部３２と断熱パネル１５の前端部との間には、端部差込室３４が形成された構成となっている。すなわち、開口部３３は、端部差込室３４の入口として機能するものであり、内箱１４の右面壁２４の前端部と外箱１３の右面壁１８の折り曲げ部３２とが離間して形成されている。端部差込室３４は、空間であり、右面壁１８の折り曲げ部３２と断熱パネル１５とが離間して形成されている。そして、その端部差込室３４に、仕切り板４４１と仕切り補強板４４２とが収容される構成である。また、２つの平坦部３２１には、板厚方向に貫通する貫通孔３５が形成されている。この開口部３３、端部差込室３４および貫通孔３５については、後述する。
【００３０】
断熱箱体１２の内箱１４の内部である貯蔵室は、図３および図４に示すように、当該貯蔵室の中央部に設けられた第１の仕切り部材３７と、第１の仕切り部材３７の下方に設けられた第２の仕切り部材３８とによって仕切られている。これにより、断熱箱体１２の内部には、貯蔵室が複数に分割されて複数の部屋が形成されている。具体的には、内箱１４と第１の仕切り部材３７とで囲われて冷蔵室３９が形成されている。また、内箱１４と第１の仕切り部材３７と第２の仕切り部材３８とで囲われて野菜室４０が形成されている。さらに、内箱１４と第２の仕切り部材３８とで囲われて内箱１４の下部に空間が形成されている。この空間には、製氷室４１と、第１の冷凍室４２と、製氷室４１の右隣に配置される第２の冷凍室４３とが設けられる構成である。冷蔵室３９の前面開口部には、図２に示すように、観音開き式の冷蔵室扉３９１が設けられ、野菜室４０の前面開口部には引出し式の野菜室扉４０１が設けられている。また、製氷室４１の前面開口部には引出し式の製氷室扉４１１が設けられ、第１の冷凍室４２の前面開口部には引出し式の第１の冷凍室扉４２１が設けられ、第２の冷凍室４３の前面開口部には引出し式の第２の冷凍室扉４３１が設けられている。
【００３１】
第１の仕切り部材３７は、第２の仕切り部材３８と同様の構成であるため、第１の仕切り部材３７について図８を参照して説明する。また、第１の仕切り部材３７は、左右対称の形状であるため、右側の構成について説明する。
【００３２】
第１の仕切り部材３７は、前仕切り部４４と、面仕切り部４５とから構成されている。
【００３３】
前仕切り部４４は、貯蔵室の前面開口部に設けられ、当該貯蔵室の左右方向に延びる直方体状に構成されている。前仕切り部４４は、仕切り板４４１と、仕切り補強板４４２と、仕切りカバー４４３と、仕切り断熱部材４４４とから構成されている。
【００３４】
仕切り板４４１は、金属製であり、前仕切り部４４の前面壁を構成する板部材であり、左右両端部がやや後方に折れ曲がっている。仕切り板４４１は、右端部が、右面用分割断熱壁３１３の前端部に形成されている開口部３３を通って端部差込室３４の内部に配置されている。前仕切り部４４の右端部には、貫通孔４４５が３箇所形成されている。
【００３５】
仕切り補強板４４２は、金属製であり、仕切り板４４１の引張強度が小さい場合などに設けられるものであり、上下方向の寸法が仕切り板４４１の上下方向の寸法と同様またはそれより短く調整され、左右方向の寸法が仕切り板４４１の左右方向の寸法よりも長く調整され、且つ、板厚が仕切り板４４１と同等またはそれ以上に調整された板部材であり、左右両端部がやや後方に折れ曲がっている。仕切り補強板４４２は、仕切り板４４１の背面に接して設けられている。
【００３６】
そして、仕切り板４４１の右端部が、右面用分割断熱壁３１３の前端部に形成されている開口部３３を通って端部差込室３４の内部に配置されている。これにより、仕切り板４４１の右端部は、仕切り補強板４４２の右端部と外箱１３の右面壁１８すなわち右面用分割断熱壁３１３の折り曲げ部３２とで挟まれた構成となる。また、仕切り板４４１および仕切り補強板４４２の左右両端部が後方に折れ曲がった形状であり、この端部が端部差込室３４に挿入される構成であるため、折り曲げ部３２の前面を仕切り板４４１の前面と面一に構成することができる。
【００３７】
仕切り補強板４４２の右端部は、仕切り板４４１よりも右側に位置して断面Ｌ字状をなし、外箱１３の右面壁１８の右前部分の角の形状に対応して後方に折れ曲がっている。さらに、仕切り補強板４４２の右端部には、仕切り板４４１の３箇所の貫通孔４４５に対応する３箇所のねじ穴４４６が形成されている。３箇所のうちの最も右端部側に位置するねじ穴４４６は、外箱１３の右面壁１８の折り曲げ部３２に形成した貫通孔３５に通されるねじ４６の軸部が設けられた構成となっている。また、仕切り補強板４４２の残り２箇所のねじ穴４４６にも、仕切り板４４１の貫通孔４４５に通されるねじ４７の軸部が設けられた構成となっている。これにより、仕切り板４４１の右端部および仕切り補強板４４２の右端部は、右面用分割断熱壁３１３の折り曲げ部３２に連結固定された構成となる。なお、上述したように、図示はしないが、仕切り板４４１の左端部および仕切り補強板４４２の左端部も、上述した右端部と同様な構成であり、外箱１３の左面壁１９すなわち左面用分割断熱壁３１４の図示しない折り曲げ部に連結固定された構成となっている。すなわち、仕切り板４４１は、右面用分割断熱壁３１３と左面用分割断熱壁３１４とを貯蔵室の前面開口部において連結固定する連結部材として機能し、折り曲げ部３２は被連結部材として機能している。
【００３８】
仕切りカバー４４３は、金属製であり、前面が開口した箱状をなし、仕切り板４４１とともに前仕切り部４４の直方体の外周壁を形成するものである。そして、仕切りカバー４４３と仕切り板４４１とで形成される直方体の空間に、仕切り断熱部材４４４が設けられている。仕切りカバー４４３は、支持部材２７によって支持されている。すなわち、仕切りカバー４４３は、下部に図示しない取付部を有し、この取付部がねじによって支持部材２７に固定される構成である。
【００３９】
仕切り断熱部材４４４は、発泡スチロールやウレタンなどの断熱部材からなり、直方体状に形成されている。
【００４０】
面仕切り部４５は、図３および図４にも示すように、断熱性を有する樹脂製の矩形状の板部材であり、真空断熱パネルなどの板状の断熱部材の周囲を樹脂製の板で覆ったものである。面仕切り部４５は、内箱１４の支持部材２７上に載置されて保持されているとともに、前端部が前仕切り部４４の背面に接して設けられ、左右両端部が内箱１４の右面壁２４および左面壁２５に接して設けられている。なお、第１の仕切り部材３７の面仕切り部４５の後端部は、内箱１４の背面壁２６に対して隙間を開けて設けられている。これにより、冷蔵室３９と野菜室４０とは連通した構成となっている。一方、第２の仕切り部材３８の面仕切り部４５の後端部は、内箱１４の背面壁２６に接して設けられている。これにより、野菜室４０と製氷室４１とは第２の仕切り部材３８によって断熱されるとともに、野菜室４０と第２の冷凍室４３とも第２の仕切り部材３８によって断熱された構成となっている。
【００４１】
また、断熱箱体１２を構成する複数の分割断熱壁３１は、一の分割断熱壁と、この一の分割断熱壁３１に対して角度（本実施形態９０°）を付けて配置された隣接する他の分割断熱壁とが、互いの端部同士を突き合わせ状態で固定具５１を介して連結固定されている。これにより、分割断熱壁３１の端部に設けられた空間１４０が隣接する他の分割断熱壁３１によって閉塞されている。つまり、一の分割断熱壁に隣接する他の分割断熱壁が一の分割断熱壁の端部に設けられた空間１４０を閉塞する閉塞部材を構成し、一の分割断熱壁が他の分割断熱壁に設けられた空間１４０を閉塞する閉塞部材を構成する。
【００４２】
固定具５１は、内箱１４を構成する壁２２〜２６における一の壁とこれに隣り合う他の壁で形成されたコーナー部に設けられている。具体的には、固定具５１は、内箱１４にあって上面壁２２と右面壁２４とで形成されるコーナー部、上面壁２２と左面壁２５とで形成されるコーナー部、上面壁２２と背面壁２６とで形成されるコーナー部、底面壁２３と右面壁２４とで形成されるコーナー部、底面壁２３と左面壁２５とで形成されるコーナー部、底面壁２３と背面壁２６とで形成されるコーナー部に設けられている。言い換えると、固定具５１は、隣り合って離間している２つの断熱パネル１５に対向する位置で固定されている。
【００４３】
また、内箱１４の後部のコーナー部、例えば左面壁２５と背面壁２６とで形成される左奥側のコーナー部には、図６および図９に示すように、電線５２が配置されている。電線５２は、例えば図示しない制御手段たる制御装置と当該制御装置からの信号を受けて駆動する図示しない送風ファンなどの部品とをつなぐ電線、あるいは、制御装置と各種センサとをつなぐ電線であり、例えば、当該コーナー部に沿って延びている。電線５２は、複数本の電線を束ねて構成されている。なお、図面では、複数本の電線が束ねられて断面が円形の状態となった電線５２を示す。
【００４４】
さらに、内箱１４の後部であって電線５２が設けられているコーナー部とは異なるコーナー部、例えば左面壁２５と背面壁２６とで形成される右奥側のコーナー部には、図６および図２２に示すように、配管５３が配置されている。配管５３は、具体的には、図示しない冷蔵用の蒸発器とコンプレッサとをつなぐサクションパイプおよび冷凍用の蒸発器とコンプレッサとをつなぐサクションパイプなどであり、例えば当該コーナー部に沿って延びている。配管５３は、例えば、冷蔵に用いられる冷媒が通るものと、冷凍に用いられる冷媒が通るものとの２本設けられている。
【００４５】
内箱１４の各コーナー部の構成、及び、各コーナー部に設けられている固定具５１はよく似た構成であるため、以下、内箱１４において左面壁２５と背面壁２６とで形成されるコーナー部と、当該コーナー部に設けられている固定具５１１、および、右面壁２４と背面壁２６とで形成されるコーナー部に設けられている固定具５１２について説明する。なお、固定具５１２の説明においては、固定具５１１と共通する部分についての説明を省略する。また、上述の電線５２および配管５３の構成についても説明する。
【００４６】
まず、コーナー部の構成について図２０及び図２１を参照して説明する。
【００４７】
左面用分割断熱壁３１４の内板を構成する左面壁２５の後端は、背面用分割断熱壁３１５の内板を構成する背面壁２６より後方であって、背面用分割断熱壁３１５の外板を構成する背面壁２０より前方に離間した位置で終端している。
【００４８】
また、背面用分割断熱壁３１５の内板を構成する背面壁２６の左側端は、左面用分割断熱壁３１４の内板を構成する左面壁２５より右方に離間した位置で終端している。これにより、左面用分割断熱壁３１４及び背面用分割断熱壁３１５の一方の分割断熱壁に対して他方の分割断熱壁が、閉塞部材として一方の分割断熱壁の端部に設けられた空間１４０を閉塞する。この時、左面用分割断熱壁３１４及び背面用分割断熱壁３１５の内板を構成する左面壁２５及び背面壁２６との間には、左面用分割断熱壁３１４及び背面用分割断熱壁３１５を連結固定する際にクリアランスとしても機能する分割部１４１が形成されている。この分割部１４１は、左面用分割断熱壁３１４及び背面用分割断熱壁３１５の端部、つまり、突き合わせ部分に設けられた空間１４０と、断熱箱体１２内部とを仕切っている。
【００４９】
次に、固定具５１１について図１、図９〜図２１を参照して説明する。
【００５０】
固定具５１１は、図１、図９および図１０に示すように、全体として断面直角三角形の柱状をなし、内箱１４の左面壁２５と背面壁２６とで形成されるコーナー部に沿って上下方向に延びた形状をなしており、左面用分割断熱壁３１４及び背面用分割断熱壁３１５の内板を構成する左面壁２５及び背面壁２６との間に形成された分割部１４１を覆うことで分割部１４１を閉塞している。つまり、固定具５１１は、分割部１４１を覆う被覆部材をなしている。図９は、電線５２が設けられているコーナー部付近を概略的に示すものである。図１０は、コーナー部に固定具５１１を設けた後の当該コーナー部を示すものである。なお、図１１は、当該コーナー部に固定具５１１が設けられる前の当該コーナー部を示している。
【００５１】
固定具５１１は、図１２〜図１４に示すように、断面直角三角形の筒状を構成する固定カバー５４および補強部材５５と、筒状の内部を構成するコーナー用断熱部材５６とを有している。
【００５２】
固定カバー５４は、樹脂製であり、上下方向に長い矩形の板部材であり、コーナー部に設けられている電線５２の前側を覆うようにして配置されている。すなわち、冷蔵庫１１の使用者側から電線５２が見えないように固定カバー５４が配置されている。固定カバー５４の前面には、図１４〜図２１に示すように、ねじ５７の軸部を貫通させるための貫通孔５８が形成されている。固定カバー５４の貫通孔５８は、長手方向に直交する幅方向において両端部の複数個所に形成されている。この貫通孔５８は、他方側の端部の貫通孔５８が極力離れるように、他方側の端部に位置する貫通孔５８と上下方向がずれて配置されている。すなわち、固定カバー５４の貫通孔５８は、例えば図１３に示すように、固定カバー５４の長手方向に沿ってジグザグ状に配置されている。
【００５３】
固定カバー５４の貫通孔５８のうち正面から見て左側に位置する貫通孔５８の軸方向は、図１５、図１７、図１９および図２０に示すように、当該固定カバー５４が内箱１４のコーナー部に設けられたときに内箱１４の左面壁２５に直交する方向である。また、固定カバー５４の貫通孔５８のうち正面から見て右側に位置する貫通孔５８の軸方向は、図１５、図１６、図１８および図２１に示すように、当該固定カバー５４が内箱１４のコーナー部に設けられたときに当該内箱１４の背面壁２６に直交する方向である。
【００５４】
固定カバー５４は、図１、図１２および図１３に示すように、固定具５１１が設けられるコーナー部の延びている方向の長さにおいて２個に分割されたパーツから構成されている。この構成により、固定カバー５４の取扱いが容易になるとともに、ねじれなどの変形がしにくくなる。以下、固定カバー５４のうち上側のパーツを上固定カバー５４１と称し、下側のパーツを下固定カバー５４２と称する。上固定カバー５４１は内箱１４の冷蔵室３９および野菜室４０のコーナー部に配置され、下固定カバー５４２が内箱１４の製氷室４１および第１の冷凍室４２のコーナー部に配置される構成である。固定カバー５４のうち上固定カバー５４１と下固定カバー５４２とが連結する部分言い換えると分割部分は、図１５に示すように左奥側のコーナー部側に突出し、後述する補強部材５５に当接している。また、図１０および図１２〜図１４に示すように、上固定カバー５４１の長手方向の中央部には端部側が開口した開口部５９が形成され、下固定カバー５４２の長手方向の中央部にも端部側が開口した開口部６０が形成されている。
【００５５】
補強部材５５は、固定具５１の固定カバー５４の強度を補強するとともに、内箱１４の左面壁２５及び背面壁２６にとの間に形成された分割部１４１を閉塞する樹脂製の部材であり、図９、図１２および図１４に示すように、固定具５１１の断面二等辺三角形の残りの二辺を形成するカバー、具体的には直角の角を形成する断面Ｌ字状の板部材からなり、長手方向の長さが固定カバー５４の長手方向の長さと同じに調整されている。補強部材５５は、断面Ｌ字状をなす二辺のうちの一辺が内箱１４の左面壁２５すなわち左面用分割断熱壁３１４に対向して配置され、残りの一辺が内箱１４の背面壁２６すなわち背面用分割断熱壁３１５に対向して配置されている。
【００５６】
この補強部材５５の直角部分が、内箱１４のコーナー部に対応して配置され、コーナー部において内箱１４の左面壁２５及び背面壁２６の間に形成された分割部１４１を閉塞する。すなわち、補強部材５５の断面Ｌ字状の直角部分が内箱１４のコーナー部の角に最も近づいた状態になるようにして、固定具５１１が当該コーナー部に配置されている。そして、補強部材５５の断面Ｌ字状の開いている側の開口部が固定カバー５４によって覆われる構成である。言い換えると、補強部材５５は、隣り合う分割断熱壁３１の端部間すなわち隣り合う分割断熱壁３１の離間している分割部１４１を横断して配置され、空間１４０と断熱箱体１２の内部とを遮断するように配設されている。
【００５７】
補強部材５５の長手方向に直交する幅方向の両端部には、複数のねじ穴６１および複数の貫通孔６２が形成されている。複数のねじ穴６１および複数の貫通孔６２は、固定カバー５４の貫通孔５８に対応して、補強部材５５の長手方向に沿ってジグザグ状に配置されている。
【００５８】
補強部材５５の貫通孔６２は、固定カバー５４側に膨出している膨出部６３に形成されている。すなわち、膨出部６３も補強部材５５の長手方向に沿ってジグザグ状に配置されている。補強部材５５の貫通孔６２の軸方向は、固定カバー５４が補強部材５５に取り付けられたときに、固定カバー５４の貫通孔５８の軸方向に一致する構成である。補強部材５５の貫通孔６２には、ねじ５７の軸部が貫通する構成である。
【００５９】
補強部材５５のねじ穴６１は、図１４、図１５、図１６および図１９に示すように、固定カバー５４側に突出した円筒状をなし、内部にねじ山が形成されたものである。補強部材５５のねじ穴６１は、固定カバー５４が補強部材５５に取り付けられたときに、固定カバー５４の貫通孔５８の軸方向に一致し、ねじ５７と螺合する構成となっている。
【００６０】
この補強部材５５も、図１４に示すように、固定具５１１が設けられるコーナー部の延びている方向の長さにおいて２個に分割されたパーツから構成されている。補強部材５５の分割位置は、固定カバー５４の分割位置と同じである。以下、補強部材５５のうち上側のパーツを上補強部材５５１と称し、下側のパーツを下補強部材５５２と称する。この構成によって、上補強部材５５１も、冷蔵室３９および野菜室４０のコーナー部に配置され、下補強部材５５２が内箱１４の製氷室４１および第１の冷凍室４２のコーナー部に配置される構成である。
【００６１】
コーナー用断熱部材５６は、例えば図９に示すように、固定具５１１の固定カバー５４に覆われるようにコーナー部に配置されたものであり、具体的には上述したように固定具５１１に囲われて設けられている。すなわち、コーナー用断熱部材５６は、隣り合う分割断熱壁３１の端部間である離間している部分を覆うように配置されている。コーナー用断熱部材５６は、図１４に示すように、発泡スチロールなどの断熱部材を三角柱に形成したものである。コーナー用断熱部材５６の長手方向に直交する幅方向の両端部側には、複数の切欠き部６４が形成されている。切欠き部６４は、固定カバー５４の貫通孔５８、補強部材５５のねじ穴６１および貫通孔６２に設けられるねじ５７に干渉しないように、コーナー用断熱部材５６の長手方向に沿ってジグザグ状に配置されている。このコーナー用断熱部材５６も、固定具５１１が設けられるコーナー部の延びている方向の長さにおいて２個に分割されたパーツから構成されている。コーナー用断熱部材５６の分割位置は、固定カバー５４の分割位置と同じである。以下、コーナー用断熱部材５６のうち上側のパーツを上コーナー用断熱部材５６１と称し、下側のパーツを下コーナー用断熱部材５６２と称する。この場合、上コーナー用断熱部材５６１は、上固定カバー５４１および上補強カバー５５１によって挟まれて設けられている。また、下コーナー用断熱部材５６２は、下固定カバー５４２および下補強カバー５５２によって挟まれて設けられている。この構成によって、上コーナー用断熱部材５６１も、冷蔵室３９および野菜室４０のコーナー部に配置され、下コーナー用断熱部材５６２が内箱１４の製氷室４１および第１の冷凍室４２のコーナー部に配置される構成である。
【００６２】
上記構成によって、固定具５１１は、全体として、コーナー部に沿って延びる方向において２個に分割可能な構成となっている。なお、上コーナー用断熱部材５６１は、下コーナー用断熱部材５６２に対して離間して設けられている。すなわち、図１５に示すように、固定カバー５４の分割部分では、固定具５１１の分割部分の前面がコーナー部側に凹んだ形状になっている。
【００６３】
また、上コーナー用断熱部材５６１の長手方向の中央部には固定カバー５４１の開口部５９に対応して端部側が開口した開口部６５が形成され、下コーナー用断熱部材５６２の長手方向の中央部にも固定カバー５４１の開口部６０に対応して端部側が開口した開口部６６が形成されている。
【００６４】
また、コーナー用断熱部材５６の長手方向に直交する断面における直角部分、すなわち内箱１４のコーナー部の角に近接する部位には、長手方向に延びる凹状の収容部６７が形成されている。このコーナー用断熱部材５６の収容部６７には、上述した電線５２が収容されている。すなわち、固定具５１１は、筒状の内部に電線５２を収容した構成となっている。収容部６７に収容されている電線５２は、収容部６７の内周面が保持部となって当該保持部によって所定の位置からずれないように保持されているとともに、図示しないフックなどの保持部などでも保持されている。すなわち、電線５２と固定具５１１とは一体された構成となっている。電線５２は、一部がコーナー用断熱部材５６の開口部６５を通って上固定カバー５４１の開口部５９から貯蔵室側に出ており、また他の一部もコーナー用断熱部材５６の開口部６６を通って下固定カバー５９２の開口部６０から貯蔵室側に出ており、さらに他の一部が固定具５１１の上端面から外側に出ており離間部２１１を通って機械室２１に導かれている。すなわち、固定具５１１の開口部５９，６０は、固定具５１１の内部に収容されている電線５２の一部を貯蔵室側に導くためのものである。なお、さらに、電線５２の一部を固定具５１１の下端面から、離間部２１３を通って部分収容室２１２に導かれるようにしてもよい。
【００６５】
電線５２は、図１３に示すように、固定カバー５４の開口部５９，６０から貯蔵室側に出ている部分に接続部６８を有している。また、電線５２は、固定具５１１の上端面から外側に延びている先端部にも接続部６８を有している。これらの接続部６８は、樹脂製であり、他の電線の接続部と接続可能なプラグ状の構成となっている。他の電線は、例えば制御装置や送風ファンや帯電微粒子水を発生させる発生装置１５０などの部品に接続されている。
【００６６】
発生装置１５０は、図１０に示すように、例えば、野菜室４０内に収納され、放電電極に電圧を印加することで帯電した霧状の微細な水粒子（帯電微粒子水）を発生させ、野菜室４０及び冷蔵室３９内に放出する装置である。この発生装置１５０は、図示しない放電電極及び対向電極と、放電電極に水を供給する手段と、放電電極に電圧を印加する手段とを備え、放電電極の先端部において水をレイリー分裂を生じさせ、ヒドロキシラジカルなど活性種を含む帯電した霧状の微細な水粒子を発生させる。
【００６７】
なお、発生装置１５０として、上記のような放電電極に電圧を印加して帯電微粒子水を発生させる装置以外にも、例えば、空気中にプラスイオンであるＨ＋（Ｈ２Ｏ）ｍ及びＯ２−（Ｈ２Ｏ）ｎ（以下、ｍ、ｎは自然数を示す）の帯電微粒子水を略同等量発生させるイオン発生装置であってもよい。これらの装置で発生する帯電微粒子水は、１ｎｍ〜１０００ｎｍのナノメータサイズのピーク粒径を有しているものであり、非常に小さい微粒子水である。
【００６８】
固定カバー５４と補強部材５５との間、具体的には固定カバー５４の幅方向の端部と補強部材５５の幅方向の端部との間には、図１４および図１６〜図１９に示すように、第１のシール部材７１が設けられている。第１のシール部材７１は、固定カバー５４および補強部材５５の長手方向に沿って長く延びる部材であり、例えばソフトテープから構成されている。これにより、固定カバー５４と補強部材５５との間が第１のシール部材７１によってシールされた構成となる。
【００６９】
補強部材５５とこの補強部材５５に近接する内箱１４の壁、具体的には補強部材５５と左面壁２５すなわち左面用分割断熱壁３１４との間、および補強部材５５と背面壁２６すなわち背面用分割断熱壁３１５との間には、図１４〜図１９に示すように、第２のシール部材７２が設けられている。第２のシール部材７２は、固定カバー５４および補強部材５５の長手方向に沿って長く延びる部材であり、例えばソフトテープから構成されている。これにより、補強部材５５とこの補強部材５５に近接する分割断熱壁３１との間が第２のシール部材７２によってシールされた構成となる。
【００７０】
図９に示すように、分割断熱壁３１の端部に設けられ閉塞部材に相当する隣り合う分割断熱壁により閉塞された空間１４０、例えば左面用分割断熱壁３１４と背面用分割断熱壁３１５とが突き合されている部分には、第３のシール部材７３が充填されている。第３のシール部材７３は、固定カバー５４および補強部材５５の長手方向に平行に延びており断熱材を兼ねた部材であり、例えばソフトテープから構成されている。つまり、第３のシール部材７３は、左面壁２５及び背面壁２６との間に形成された分割部１４１から断熱パネル１５を接着する接着剤２９，３０に至る経路内、言い換えれば、分割部１４１から、断熱パネル１５と左面壁１９との接合部分や、断熱パネル１５と左面壁２５との接合部分や、断熱パネル１５と背面壁２０との接合部分や、断熱パネル１５と背面壁２６との接合部分に至る経路内に設けられている。なお、図２０および図２１では、第３のシール部材の図示を省略する。
【００７１】
固定具５１１は、図１４〜図１９に示すように、固定カバー５４と補強部材５５とによってコーナー用断熱部材５６を挟み、コーナー用断熱部材５６の収容部６７に電線５２を収容し、固定カバー５４の幅方向の端部と補強部材５５の幅方向の端部とを合わせて構成されている。そして、このように固定カバー５４を補強部材５５に合わせた状態で、ねじ５７の軸部を固定カバー５４の貫通孔５８に通して補強部材５５のねじ穴６１に螺合させることにより、固定カバー５４が補強部材５５に固定された構成となっている。また、固定カバー５４が補強部材５５に固定されることにより、コーナー用断熱部材５６も固定具５１１の内部に固定された構成となり、電線５２も固定具５１１の内部に固定された構成となっている。したがって、固定カバー５４と、補強部材５５と、コーナー用断熱部材５６と、電線５２とが一体化した構成となっている。
【００７２】
なお、上固定カバー５４１と下固定カバー５４２との分割部分では、図１５に示すように、１対のねじ５７，５７によって固定カバー５４が補強部材５５に固定されている。そして、固定具５１１の分割部分には、第２の仕切り部材３８の後端部の左部が当接して配置される構成となっている。
【００７３】
また、図２０および図２１に示すように、ねじ５７を固定カバー５４の貫通孔５８および補強部材５５の貫通孔６２に通して内箱１４の支持部材２７のねじ穴に螺合させることにより、固定具５１１が内箱１４のコーナー部に固定された構成となっている。
【００７４】
このとき、固定カバー５４と補強部材５５との間が第１のシール部材７１によってシールされ、固定具５１とこの固定具５１に近接する分割断熱壁３１との間が第２のシール部材７２によってシールされ、左面壁２５及び背面壁２６との間に形成された分割部１４１が空間１４０側から断熱材を兼ねた第３のシール部材７３によってシールされた構成となる。
【００７５】
さらに、左面用分割断熱壁３１４および背面用分割断熱壁３１５は、第２のシール部材７２を介して補強部材５５に対向した配置となる。これにより、隣り合う左面用分割断熱壁３１４および背面用分割断熱壁３１５が固定具５１１によって連結固定されるとともに、左面用分割断熱壁３１４と背面用分割断熱壁３１５とで形成される隣り合う分割断熱壁３１４，３１５の角度が、補強部材５５の直角部分に対応して９０°に保持される。すなわち、補強部材５５は、左面用分割断熱壁３１４および背面用分割断熱壁３１５のそれぞれに対向して配置され、隣り合う壁すなわち分割断熱壁３１の角度を９０°に保持する角度保持部として機能している。
【００７６】
次に、固定具５１２について図２２〜図３１を参照して説明する。
【００７７】
固定具５１２は、図２２および図２３に示すように、全体として断面直角三角形の柱状をなし、内箱１４の右面壁２４と背面壁２６とで形成されるコーナー部に沿って上下方向に延びた形状をなしている。この固定具５１２は、上記した固定具５１１と同様、右面用分割断熱壁３１３及び背面用分割断熱壁３１５の内板を構成する右面壁２４及び背面壁２６との間に形成された分割部１４１を覆い分割部１４１を閉塞する被覆部材をなしている。図２２は、配管５３が設けられているコーナー部付近を概略的に示すものである。図２３は、コーナー部に固定具５１２を設けた後の構成を示すものである。なお、図２４は、当該コーナー部に固定具５１２を設ける前の構成を示している。
【００７８】
固定具５１２は、図２５〜図２７に示すように断面直角三角形の筒状を構成する固定カバー８１および補強部材８２と、筒状の内部を構成するコーナー用断熱部材８３とを有している。
【００７９】
固定カバー８１は、固定カバー５４とほぼ同様な構成であり、上下方向に長い矩形の板部材であり、コーナー部に設けられている配管５３の前側を覆うようにして配置されている。すなわち、冷蔵庫１１の使用者側から配管５３が見えないように固定カバー８１が配置されている。固定カバー８１には、固定カバー５４の貫通孔５８と同様の貫通孔８４が複数個所に形成されている。また、固定カバー８１も、図２７に示すように、固定具５１２が設けられるコーナー部の延びている方向の長さにおいて２個に分割されたパーツから構成され、固定カバー８１のうち上側のパーツを構成する上固定カバー８１１と、下側のパーツを構成する下固定カバー８１２とから構成されている。上固定カバー８１１と下固定カバー８１２とが連結する部分すなわち分割部分は、図２８に示すように右奥側のコーナー部側に突出した形成である。また、上固定カバー８１１の長手方向の中央部には、図２７に示すように、外側に突出して延びる第１の突出部８５を有し、この第１の突出部に開口部８６が形成されている。また、図２３および図２５〜図２７に示すように、下固定カバー８１２の長手方向の中央部にも、外側に突出して延びる第２の突出部８７を有し、この第２の突出部８７に開口部８８が形成されている。
【００８０】
補強部材８２は、補強部材５５とほぼ同様な構成であり、図２７に示すように、固定具５１２の断面二等辺三角形の残りの二辺を形成する断面Ｌ字状の板部材である。この補強部材８２の直角部分が内箱１４のコーナー部に対応して配置される構成である。そして、補強部材８２の断面Ｌ字状の開いている側の開口部を覆うようにして固定カバー８１が設けられる構成である。
【００８１】
補強部材５５の長手方向に直交する幅方向の両端部には、複数のねじ穴８９および複数の貫通孔９０が形成されている。補強部材８２のねじ穴８９および貫通孔９０も、補強部材５５のねじ穴６１および貫通孔６２と同様の構成である。また、この補強部材８２も、固定具５１２が設けられるコーナー部の延びている方向の長さにおいて２個に分割されたパーツから構成され、補強部材８２のうち上側のパーツを構成する上補強部材８２１と、下側のパーツを構成する下補強部材８２２とから構成されている。また、上補強部材８２１は、当該上補強部材８２１の長手方向の中央部すなわち第１の突出部８５に対応する位置に外側に突出して延びる第１の補強用突出部９１を有している。第１の補強用突出部９１は、第１の突出部８５とともに筒状を形成するものである。さらに、下補強部材８２２も、当該下補強部材８２２の長手方向の中央部すなわち第２の突出部８７に対応する位に外側に突出して延びる第２の補強用突出部９２を有している。第２の補強用突出部９２も、第２の突出部８７とともに筒状を形成するものである。
【００８２】
コーナー用断熱部材８３は、コーナー用断熱部材５６とほぼ同様な構成であり、固定具５１２の固定カバー８１に覆われるようにコーナー部に配置されている。すなわち、コーナー用断熱部材８３も、隣り合う分割断熱壁３１の端部間である離間している分割部１４１を覆うように配置されている。コーナー用断熱部材８３は、図２７に示すように、発泡スチロールなどの断熱部材を三角柱に形成したものであり、幅方向の両端部側に複数の切欠き部９３が形成されている。この切欠き部９３は、コーナー用断熱部材５６の切欠き部６４と同様な構成である。また、このコーナー用断熱部材８３も、固定具５１２が設けられるコーナー部の延びている方向の長さにおいて２個に分割されたパーツから構成され、コーナー用断熱部材８３のうち上側のパーツを構成する上コーナー用断熱部材８３１と、下側のパーツを構成する下コーナー用断熱部材８３２とから構成されている。この場合、上コーナー用断熱部材８３１は、上固定カバー８１１１および上補強カバー８２１によって挟まれて設けられている。また、下コーナー用断熱部材８３２は、下固定カバー８１２および下補強カバー８２２によって挟まれて設けられている。
【００８３】
上記構成によって、固定具５１２は、全体として、コーナー部に沿って延びる方向において２個に分割可能な構成となっている。なお、上コーナー用断熱部材８３１は、下コーナー用断熱部材８３２に対して離間して設けられている。すなわち、図２８に示すように、固定カバー８１の分割部分では、当該固定カバー８１のコーナー部側の面が補強部材８２に接しており、固定具５１の分割部分の前面がコーナー部側に凹んだ形状になっている。
【００８４】
また、上コーナー用断熱部材８３１は、図２７に示すように、当該上コーナー用断熱部材８３１の長手方向の中央部すなわち第１の突出部８５に対応する位置に外側に突出して延びる第１の断熱用突出部９４を有し、この第１の断熱用突出部９４に開口部９５が形成されている。第１の断熱用突出部９４は、第１の補強用突出部９１と第１の突出部８５とで形成される筒状部分に収容される構成である。さらに、下コーナー用断熱部材８３２も、当該下コーナー用断熱部材８３２の長手方向の中央部すなわち第２の突出部８７に対応する位置に外側に突出して延びる第２の断熱用突出部９６を有し、この第２の断熱用突出部９６に開口部９７が形成されている。第２の断熱用突出部９６は、第２の補強用突出部９２と第２の突出部８７とで形成される筒状部分に収容される構成である。
【００８５】
また、コーナー用断熱部材８３の長手方向に直交する断面における直角部分、すなわち内箱１４のコーナー部の角（つまり、右面壁２４及び背面壁２６との間に形成された分割部１４１）に近接する部位には、長手方向に延びる凹状の収容部９８が形成されている。このコーナー用断熱部材８３の収容部９８には、上述した配管５３が収容されている。すなわち、固定具５１２は、筒状の内部に配管５３を収容した構成となっている。収容部９８に収容されている配管５３は、収容部９８の内周面が保持部となって当該保持部によって保持されているとともに、図示しないフックなどの保持部などでも保持されている。すなわち、配管５３と固定具５１２とは一体された構成となっている。なお、収容部９８に収容されている配管５３は、コーナー部の部位によっては複数本収容されている。
【００８６】
配管５３は、一部がコーナー用断熱部材８３の開口部９５を通って上固定カバー８１１の開口部８６から貯蔵室側に出ており、他の一部がコーナー用断熱部材８３の開口部９７を通って下固定カバー８１２の開口部８８から貯蔵室側に出ており、さらに他の一部が固定具５１２の上端面から外側に出ており離間部２１１を通って機械室２１に導かれている。すなわち、固定具５１２の開口部８６，８８は、固定具５１２の内部に収容されている配管５３の一部を貯蔵室側に導くためのものである。なお、さらに、配管５３の一部を固定具５１２の下端面から、離間部２１３を通って部分収容室２１２に導かれるようにしてもよい。
【００８７】
配管５３は、図２６に示すように、固定カバー８１の開口部８６，８８から貯蔵室側に出ている部分に溶着部９９を有している。また、配管５３は、固定具５１２の上端面から外側に延びている先端部にも溶着部９９を有している。これらの溶着部９９は、他の配管の溶着部と溶着可能な構成、例えば配管５３の直径が他の配管よりも大きい構成となっている。他の配管は、冷蔵用の蒸発器、冷凍用の蒸発器、コンプレッサに接続されている。この実施形態では、上固定カバー８１１の開口部８６から貯蔵室側に延びる配管５３が冷蔵用の蒸発器に接続され、下固定カバー８１２の開口部８８から貯蔵室側に延びる配管が冷凍用の蒸発器に接続され、固定具５１２の上端面から外側に延びる配管が機械室２１に設けられているコンプレッサに接続されるように、配管５３の溶着部９９と他の配管の溶着部とが溶着される構成となっている。
【００８８】
固定カバー８１と補強部材８２との間、具体的には固定カバー８１の幅方向の端部と補強部材８２の幅方向の端部との間には、固定具５１１に設けた第１のシール部材７１と同様の第１のシール部材１０１が設けられている。
【００８９】
補強部材８２とこの補強部材８２に近接する内箱１４の壁、具体的には補強部材８２と右面壁２４すなわち右面用分割断熱壁３１３との間、補強部材８２と背面壁２６すなわち背面用分割断熱壁３１５との間には、図２７〜図３１に示すように、第２のシール部材７２と同様の第２のシール部材１０２が設けられている。
【００９０】
また、図２２に示すように、分割断熱壁３１の端部に設けられ閉塞部材に相当する隣り合う分割断熱壁により閉塞された空間１４０、例えば、右面用分割断熱壁３１３と背面用分割断熱壁３１５とが突き合されている部分には、第３のシール部材１０３が充填されている。第３のシール部材１０３は、第３のシール部材７２と同様、固定カバー８１および補強部材８２の長手方向に平行に延びており断熱材を兼ねた部材であり、例えばソフトテープから構成されており、左面壁２５及び背面壁２６との間に形成された分割部１４１から断熱パネル１５を接着する接着剤２９，３０に至る経路内、つまり、分割部１４１から、断熱パネル１５と右面壁１８との接合部分や、断熱パネル１５と右面壁２４との接合部分や、断熱パネル１５と背面壁２０との接合部分や、断熱パネル１５と背面壁２６との接合部分に至る経路内に設けられている。
【００９１】
固定具５１２は、図２６〜図３１に示すように、固定カバー８１と補強部材８２とによってコーナー用断熱部材８３を挟み、コーナー用断熱部材８３における分割部１４１に近接する部位に設けられた収容部９８に配管５３を収容し、固定カバー８１の幅方向の端部と補強部材８２の幅方向の端部とを合わせて構成されている。そして、このように固定カバー８１を補強部材８２に合わせた状態で、ねじ５７の軸部を固定カバー８１の貫通孔８４に通して補強部材８２のねじ穴８９に螺合させることにより、固定カバー８１が補強部材８２に固定された構成となっている。また、固定カバー８１が補強部材８２に固定されることにより、コーナー用断熱部材８３も固定具５１の内部に固定された構成となり、配管５３も固定具５１２の内部に固定された構成となっている。この上固定カバー８１１と下固定カバー８１２の分割部分にも、第２の仕切り部材３８の後端部の右部が当接して配置され、この分割部分を覆う構成となっている。
【００９２】
なお、上固定カバー８１１と下固定カバー８１２との分割部分では、図２８に示すように、１対のねじ５７，５７によって固定カバー８１が補強部材８２に固定されている。そして、固定具５１２の分割部分には、第２の仕切り部材３８の後端部の右部が当接して配置される構成となっている。
【００９３】
また、図示しないねじの軸部を、図３０に示すように、固定カバー８１の貫通孔８４および補強部材８２の貫通孔９０に通して内箱１４の図示しない支持部材のねじ穴に螺合させることにより、固定具５１２が内箱１４のコーナー部に固定された構成となる。なお、図示はしないが、固定具５１２は、同様な構成によって背面壁２６の支持部材にも固定されている。
【００９４】
このとき、固定カバー８１と補強部材８２との間が第１のシール部材１０１によってシールされ、固定具５１とこの固定具５１に近接する分割断熱壁３１との間が第２のシール部材１０２によってシールされ、右面壁２４及び背面壁２６との間に形成された分割部１４１が空間１４０側から断熱材を兼ねた第３のシール部材１０３によってシールされる。
【００９５】
また、補強部材８２は、第２のシール部材１０２を介して右面用分割断熱壁３１３および背面用分割断熱壁３１５のそれぞれに対向した配置となる。これにより、隣り合う右面用分割断熱壁３１３および背面用分割断熱壁３１５が固定具５１２によって連結固定されるとともに、右面用分割断熱壁３１３と背面用分割断熱壁３１５とで形成される隣り合う壁の角度が、補強部材８２の直角部分に対応して９０°に保持される。すなわち、補強部材８２も、隣り合う壁の角度を９０°に保持する角度保持部として機能している。
【００９６】
次に、固定具５１２の固定カバー８１の開口部８８から貯蔵室側に導かれている配管５３の一部について図３２を参照して説明する。図３２に示すように、内箱１４の内部において第２の仕切り部材３８の面仕切り部４５と内箱１４の右面壁２４との間には、仕切り部用断熱部材１０５が設けられている。仕切り部用断熱部材１０５は、発泡スチロールなどからなる断熱部材であり、前後方向に延びるブロック状をなしている。仕切り部用断熱部材１０５には、内箱１４側が開口した凹部１０６が形成されている。そして、凹部１０６の内部には、固定具５１２の開口部８８から貯蔵室側に出た配管５３の一部が設けられた構成となっている。すなわち、固定具５１２の開口部８８から出ている配管５３の一部は、第２の仕切り部材３８の縁部の前後方向に沿って設けられた構成となっている。
【００９７】
この仕切り部用断熱部材１０５の上面、前面および左面は、第２の仕切り部材３８の面仕切り部４５から延びている部材によって覆われている。
【００９８】
なお、図示はしないが、内箱１４の内部において第２の仕切り部材３８の面仕切り部４５と内箱１４の左面壁２５との間にも、上述の仕切り断熱部材などを設けて、固定具５１２の開口部６０から出ている電線５２の一部が、第２の仕切り部材３８の縁部の前後方向に沿って設けられる構成としてもよい。
【００９９】
上記した一実施形態による冷蔵庫１１の断熱箱体１２の組立て手順を図１および図３３を参照して説明する。
【０１００】
まず、図１に示す分割断熱壁３１および固定具５１をそれぞれ製作する。次に、図３３に示すように、隣り合う２つの分割断熱壁３１のうちの一方、例えば左面用分割断熱壁３１４に固定具５１１をねじ５７により取り付ける。次に、左面用分割断熱壁３１４と固定具５１１とが一体となったものに、背面用分割断熱壁３１５を取り付ける。これにより、隣り合う分割断熱壁３１は連結固定され、内箱１４の右奥側のコーナー部が形成される。このとき、左面用分割断熱壁３１４と背面用分割断熱壁３１５とで形成される隣り合う壁の角度は、補強部材５５の直角部分に対応して９０°に保持される。内箱１４の他のコーナー部も、分割断熱壁３１と固定具５１とを連結固定することにより形成される。これにより、隣り合う分割断熱壁３１の角度が９０°である内箱１４が形成され、直方体の断熱箱体１２が形成される。なお、隣り合う分割断熱壁３１の角度を９０°にするだけではなく、この場合、隣り合う分割断熱壁３１の角度がほぼ９０°に調整され、断熱箱体１２の各角部がほぼ９０°となっていればよい。
【０１０１】
また、断熱箱体１２の組立て時に、第１の仕切り部材３７および第２の仕切り部材３８を所定の位置に設けることにより、冷蔵室３９、野菜室４０、製氷室４１、第１の冷凍室４２および第２の冷凍室４３が形成されるとともに、貯蔵室の前面開口部側において、右面用分割断熱壁３１３と左面用分割断熱壁３１４とが第１の仕切り部材３７および第２の仕切り部材３８によって連結固定される。
【０１０２】
そして、断熱箱体１２の組み立て途中、あるいは、組み立て後、配管５３に設けられた溶着部９９に冷凍サイクルを構成する圧縮機や凝縮器や蒸発器やサクションパイプを配管接続するとともに、電線５２に設けられた接続部６８に制御装置や送風ファンや発生装置１５０などの電気部品を接続する。
【０１０３】
上記構成の冷蔵庫１１では、次の効果を奏する。
【０１０４】
隣り合う分割断熱壁３１の間に形成された分割部１４１が固定具５１により覆われているため、発生装置１５０で発生し庫内に放出された帯電微粒子水が分割部１４１を通って断熱パネル１５を外箱１３及び内箱１４に接着する接着剤２９，３０に到達することを防止することができる。そのため、接着剤２９，３０が劣化しにくくなり、冷蔵庫１１の耐久性を向上させることができる。
【０１０５】
特に、接着剤２９、３０として疎水性の高い接着剤を用いた場合、帯電微粒子水によって接着剤２９，３０の親水性が高まり、その結果、断熱パネル１５が外箱１３及び内箱１４から剥離しやすくなるが、本実施形態では、固定具５１によって帯電微粒子水が接着剤２９，３０に到達することを防止するため、効果的に接着剤２９，３０の劣化を抑えることができる。
【０１０６】
左面用分割断熱壁３１４と背面用分割断熱壁３１５とが突き合されている部分や、右面用分割断熱壁３１３と背面用分割断熱壁３１５とが突き合されている部分に、断熱材を兼ねた第３のシール部材７３、１０３が充填されており、隣接する分割断熱壁３１の突き合わせ部分に形成された分割部１４１から接着剤２９，３０に至る経路を、第３のシール部材７３、１０３が遮断している。そのため、当該第３のシール部材７３、１０３も固定具５１と同様、帯電微粒子水が接着剤２９，３０に到達することを防止することができ、接着剤２９，３０の劣化を抑え、冷蔵庫１１の耐久性を向上させることができる。
【０１０７】
また、本実施形態の冷蔵庫１１では、固定具５１２のコーナー用断熱部材８３において右面壁２４及び背面壁２６との間に形成された分割部１４１に近接する部位に設けられた収容部９８にサクションパイプ５３が収容されている。
【０１０８】
サクションパイプ５３は、蒸発器を流れた冷媒を圧縮機へ戻すもので、通常、庫内温度より低温であるため、分割部１４１から右面用分割断熱壁３１３と背面用分割断熱壁３１５とが突き合されている部分（つまり、空間１４０）へ進入する帯電微粒子水や、空間１４０内の帯電微粒子水を冷却する冷却手段として機能する。これにより、帯電微粒子水は凝縮してその粒径が大きくなり空気中を浮遊しにくくなるとともに、ヒドロキシラジカルなど活性種が消滅するため、帯電微粒子水が接着剤２９，３０に到達することを防止することができ、接着剤２９，３０の劣化を抑え、冷蔵庫１１の耐久性を向上させることができる。
【０１０９】
また、分割断熱壁３１の外箱１３と内箱１４の間に設けられた断熱パネル１５の外袋体１３２がアルミニウムのような金属層を含む場合、発生装置１５０で発生し庫内に放出された帯電微粒子水が、分割部１４１から空間１４０内に進入し断熱パネル１５に付着すると、外袋体１３２が帯電微粒子水の電荷を受けて帯電し、スチール製の外箱１３を介して庫外に悪影響を及ぼすことも考えられる。しかし、本実施形態では、分割部１４１を覆う固定具５１や、隣り合う分割断熱壁の突き合わせ部分に設けられた第３のシール部材７３、１０３や、分割部１４１に近接配置されたサクションパイプ５３を設け、帯電微粒子水が分割部１４１から進入し接着剤２９，３０に到達することを防止する防止手段を備えているため、外袋体１３２が帯電しにくく庫外に悪影響を及ぼすことがない。
【０１１０】
なお、本実施形態では、発生装置１５０で発生させた帯電微粒子水が分割部１４１から接着剤２９，３０に到達することを防止する防止手段として、分割部１４１を覆う固定具５１と、隣り合う分割断熱壁の突き合わせ部分に設けられた第３のシール部材７３、１０３と、分割部１４１に近接配置されたサクションパイプ５３とを設けたが、これらの防止手段のいずれか１又は２の手段を設けてもよい。また、防止手段は、固定具５１、第３のシール部材７３、１０３、サクションパイプ５３に限らず、帯電微粒子水が分割部１４１から接着剤２９，３０に到達することを防止するものであればよい。
【０１１１】
（第２の実施形態）
次に、第２の実施形態について、図３５を参照して説明する。なお、第１の実施形態と同一の構成のものについては同一の符号を付し、その構成の説明を省略する。なお、この実施形態では、断熱箱体１２の左奥側のコーナー部について説明するが、他のコーナー部にも適用することができる。
【０１１２】
第２の実施形態では、帯電微粒子水が分割部１４１から接着剤２９，３０に到達することを防止する防止手段として、分割断熱壁において断熱パネル１５を挟持する内板及び外板の端部をシールするシール材１６０、１６１や、分割部１４１を覆う位置決め部３６９を設ける。
【０１１３】
詳細には、図３５に示すように、左面用分割断熱壁３１４の外板を構成する左面壁１９には、前面側（図で左側）に、内箱１４側に直角に折曲る前部フランジ部１６１と、その前部フランジ部１６１の先端から更に連続してＵ字状に折返された折返し部１６１ａとが一体に設けられている。これに対し、左面用分割断熱壁３１４の外板を構成する左面壁２５の前面側には、直角に折曲るように差込部１６２が一体に形成されており、この差込部１６２と前記折返し部１６１ａが、断面Ｕ字状をなす連結部材１６３により結合される。また、左面壁１９の後端部には、直角に折曲る後部フランジ部１６４が一体に設けられている。この後部フランジ部１６４には、背面用分割断熱壁３１５の外板を構成する背面壁２０の端部（左辺部）が重なるようにして、図示しないねじにより複数個所にてねじ止めされる。
【０１１４】
左面用分割断熱壁３１４の内板を構成する左面壁２５には、背面用分割断熱壁３１５と組合される側の辺部（端部）、つまり後辺部（図で右側）に位置して、直角に曲って外板を構成する左面壁１９の内面側に向けて延びる延長部１６５が一体に設けられている。この延長部１６５の先端は、更に直角に折曲って、左面壁１９の内面に平行に近接する取付部１６５ａが設けられている。この取付部１６５ａと、左面壁１９の内面との間は、例えばソフトテープからなるシール材１６０によって閉塞されている。
【０１１５】
また、左面用分割断熱壁３１４と背面用分割断熱壁３１５との間には、接着剤２９，３０により接着された断熱パネル１５が設けられている。断熱パネル１５は、前後の両端面が、左面壁２５の前端部に設けられた差込部１６２と、後端部に設けられた延長部１６５から離間しており、左面用分割断熱壁３１４の端部に左面壁１９、左面壁２５及び断熱パネル１５から区画された空間１４０が形成されている。
【０１１６】
これに対し、背面用分割断熱壁３１５の内板を構成する背面壁２６には、左面用分割断熱壁３１４の内面つまり左面壁２５の内面に当接しながら庫内側（図で左側）に延びる突出部３６８が一体に設けられている。左面壁２５と突出部３６８との当接部分が、空間１４０と断熱箱体１２内部とを仕切る分割部１４１となる。また、左面壁２５の内面には位置決め部３６９が突起状に設けられている。この位置決め部３６９は、突出部３６８の先端が当接することで背面用分割断熱壁３１５の前後方向位置を位置決めするとともに、分割部１４１の庫内側に開口する部分を覆って庫内に放出された帯電微粒子水が分割部１４１から空間１４０内へ進入するのを防止する。
【０１１７】
前記突出部３６８の内側には、例えば発泡スチロールの成形品からなる断熱材３６７が収容されている。また、前記突出部３６８は、庫内側に延びた後、左面壁２５の内面に沿って背面壁２６の内面側に向けて延び、その先端が更に直角に折曲って、外板を構成する背面壁２０の内面に平行に近接する取付部３６８ａとされている。この取付部３６８ａと、背面壁２０の内面との間は、例えばソフトテープからなるシール材１６７によって閉塞されている。
【０１１８】
本実施形態の場合では、左面用分割断熱壁３１４において外板を構成する左面壁１９と内板を構成する左壁面２５の端部を閉塞するシール材１６０や、背面用分割断熱壁３１５において外板を構成する背面壁２０と内板を構成する背面壁２６の端部を閉塞するシール材１６１や、分割部１４１の庫内側に開口する部分を覆う位置決め部３６９が、防止手段として庫内に放出された帯電微粒子水が分割部１４１を通って断熱パネル１５を外箱１３及び内箱１４に接着する接着剤２９，３０に到達することを防止することができ、接着剤２９，３０の劣化を抑え冷蔵庫１１の耐久性を向上させることができる。
【０１１９】
（第３の実施形態）
次に、第３の実施形態について、図３６を参照して説明する。なお、第１の実施形態と同一の構成のものについては同一の符号を付し、その構成の説明を省略する。なお、この実施形態では、断熱箱体１２の左前端部について説明するが、右前端部にも適用することができる。
【０１２０】
第３の実施形態では、図３６に示すように、左面用分割断熱壁３１４の外板を構成する左面壁１９は、第一側面部２８１と、第二側面部２８２と、傾斜部２８３と、前面部２８４と、曲げ部２８５とから構成されている。第一側面部２８１と、第二側面部２８２と、傾斜部２８３とは、断熱箱体１１の左側の外面を構成している。このうち第一側面部２８１は、ほぼ平坦に形成されて断熱箱体１１の左側の外面の大部分を占めている。第二側面部２８２は、第一側面部２８１に対して、やや左外方であってほぼ平行に位置している。そして、これら第一側面部２８１および第二側面部２８２の間は傾斜部２８３によって繋がっている。
【０１２１】
前面部２８４は、第二側面部２８２から繋がっており、第二側面部２８２に対してほぼ直角に内板２９側つまり右方へ曲げられて、左面側の断熱壁１２の前面を構成している。曲げ部２８５は、前面部２８４から繋がって、前面部２８４に対してほぼ直角に後方へ曲げられて第二側面部２８２にほぼ平行な面と、さらにそこからほぼ直角に内方つまり右方へ曲げられて前面部２８４にほぼ平行な面とから構成されている。そして、この左面壁１９は、前後方向の断面つまり横断面が上下方向へほぼ同一形状に連続している。
【０１２２】
断熱パネル１５は、左面壁１９及び左面壁２５よりもやや小さい矩形状に形成され、接着剤２９，３０によって左面壁１９及び左面壁２５に接着固定されている。この場合、左面壁２５の前端部は、断熱パネル１５の前端部よりも前方に位置し、左面壁１９の前端部つまり前面部２８４および曲げ部２８５は、断熱パネル１５の前端部つまり前端面３０３より前方に位置している。
【０１２３】
左面用分割断熱壁３１４に設けられた断熱パネル１５の前端面の前方には、左面壁１９の前面部２８４及び曲げ部２８５と、左面壁２５との間に断熱パネル１５が配設されていない空間１４０が形成されている。また、左面壁１９の曲げ部２８５および左面壁２５の前端部が離間して設けられていることにより、空間１４０を外部へ連通する連通口３４０が形成されている。
【０１２４】
空間１４０内には、補助部材３５０と、ソフトテープ３６１、３６２と、が設けられている。補助部材３５０は、左面壁１９よりも厚い金属板、例えば鋼板で構成されており、左面壁１９の第二側面部２８２の前側部分と、前面部２８４と、曲げ部２８５における第二側面部２８２に平行な部分と、に沿って曲げられている。
【０１２５】
ソフトテープ３６１、３６２は、詳細は図示しないが、それぞれ単体の状態において横断面がほぼ矩形状を成している。ソフトテープ３６１は、断熱パネル１５の前端面３０３において露出部３０４を除いた部分に接着固定されている。また、ソフトテープ３６２は、補助部材３５０の内側面に接着固定されている。
【０１２６】
空間１４０内において、ソフトテープ３６１およびソフトテープ３６２の間には、防露パイプ３７０と、この防露パイプ３７０を保持するシール部材３８０とが設けられている。防露パイプ３７０は、冷凍サイクルの圧縮機と冷却器とを繋ぐパイプの一部であり、例えば銅管で構成されている。防露パイプ３７０は、冷蔵庫１０の前面に形成された開口の周囲に沿って複数の分割断熱壁３１に亘って設けられている。この防露パイプ３７０には、圧縮機で圧縮されて高温状態となった冷媒が流される。すると、防露パイプ３７０は周囲に比べて高温状態となる。つまり、防露パイプ３７０は、空間１４０内を加熱する加熱手段として機能している。
【０１２７】
シール部材３８０は、防露パイプ３７０を保持するとともに、連通口３４０を閉塞して左面壁１９及び左面壁２５を繋いでいる。つまり、シール部材３８０は、左面用分割断熱壁３１４の前端部において左面壁１９及び左面壁２５との間で形成された空間１４０を閉塞する閉塞部材として機能している。
【０１２８】
具体的には、シール部材３８０は、左面壁１９側から左面壁２５側へ向かって順に、パイプ保持部３８１、弾性変形部３８２、第一連結部３８３、第二連結部３８４、第一爪部３８５、第二爪部３８６、閉塞部３８７、第一係止部３８８、および第二係止部３８９を有し、これらが一体に形成されている。このシール部材３８０は、左面壁１９よりも熱伝導率が低い材料、例えば合成樹脂や硬質ゴムなどを材料として引抜成形または押出成形により構成されている。そのため、シール部材３８０は、上下方向、即ち左面壁１９および左面壁２５の長手方向へほぼ同一の断面形状が連続する構成となっている。
【０１２９】
シール部材３８０のパイプ保持部３８１は、左側の一部分が開口した半円環状に形成されており、この半円環状の内側に防露パイプ３７０を咥えこむようにして保持している。この場合、連通口３４０は、シール部材３８０のパイプ保持部３８１および防露パイプ３７に対して大きい寸法に設定されている。これにより、シール部材３８０のパイプ保持部３８１および防露パイプ３７は連通口３４０から空間１４０内へ挿入可能になっている。
【０１３０】
空間１４０内において、防露パイプ３７０の一部は、パイプ保持部３８１から露出して補助部材３５０に接触している。
【０１３１】
弾性変形部３８２は、前方へやや膨出した湾曲状に形成されていて、その一方の端がパイプ保持部３８１における半円環状の開口の反対側に繋がっている。弾性変形部３８２は、湾曲状の頂点部を中心に、主に図３における左右方向、即ち断熱パネル１５の厚み方向へ弾性変形して伸縮する。これにより、シール部材３８０は全体として断熱パネル１５の厚み方向へ弾性変形して伸縮する。
【０１３２】
弾性変形部３８２の他方の端は、左面壁２５側へ向かうにつれて前後方向へ広がるように二股に分岐している。その分岐した一方には第一連結部３８３が設けられ、他方には第二連結部３８４が設けられている。第一連結部３８３は、主に第二連結部３８４との分岐部３９０を支点にして前後方向へ弾性変形する。第一連結部３８３の端部には第一爪部３８５が設けられて、この第一爪部３８５は左面壁２５に係止している。また、第二連結部３８４の途中部には第二爪部３８６が設けられて、第二爪部３８６が補助部材３５０を介して左面壁１９の曲げ部２８５に係止している。
【０１３３】
閉塞部３８７は、第二連結部３８４から繋がって、左面壁２５にほぼ平行に配置されて連通口３４０を覆っている。閉塞部３８７の後端部には、断熱パネル１５の前端面３０３よりも後方に位置して第一係止部３８８が設けられている。この第一係止部３８８と第一爪部３８５との間に左面壁２５の前端部分を挟み込んで係合している。つまり、左面壁２５と第一係止部３８８との当接部分が、左面用分割断熱壁３１４の前端部に設けられた空間１４０と断熱箱体１２内部とを仕切る分割部１４１となる。
【０１３４】
閉塞部３８７の前端部は、左面壁１９側へほぼ直角に折り曲げられて左面壁１９の前面側に延出している。その前面部４１０は左面壁１９の前面部２８４とほぼ同一平面上に配置されて、さらにそこから断熱パネル１５側へほぼ直角に折り曲げられて第二係止部３８９が設けられている。この第二係止部３８９と第二爪部３８６との間には左面壁１９の曲げ部２８５および補助部材３５０を挟み込んで係合している。これにより、シール部材３８０は、断熱パネル１５の前端面３０３と対向する位置、即ち断熱パネル１５の厚み領域内において左面壁１９および補助部材３５０に係合している。
【０１３５】
本実施形態の場合では、左面用分割断熱壁３１４の前端部に設けられた空間１４０内に周囲に比べて高温状態となる防露パイプ３７０が配設されているため、発生装置１５０で発生し庫内に放出された帯電微粒子水が、分割部１４１から空間１４０内に進入しても、防露パイプ３７０からの熱により消滅する。そのため、帯電微粒子水が接着剤２９，３０に到達することを防止することができ、接着剤２９，３０の劣化を抑え、冷蔵庫１１の耐久性を向上させることができる。
【０１３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３７】
図面中、１１は冷蔵庫、１２は断熱箱体、１３は外箱、１４は内箱、１５，１２０は断
熱部材、３１，３１１，３１２，３１３，３１４，３１５は分割断熱壁（断熱壁）、３７
，３８は仕切り部材（連結部材）、５１，５１１，５１２，１１１は固定具、５２は電線
、５３は配管、５４，８１は固定カバー、５５，８２は補強部材（角度保持部）、５６，
８３，１１５はコーナー用断熱部材、５９，６０，８６，８８は開口部、６７，９８，１
１６は収容部（保持部）、６８は接続部、７２，１０２，１１４はシール部材、９９は溶
着部、１１２，１１３は延出部（角度保持部）、１４０は空間、１４１は分割部を示す。
【図１】
0005868154.tif 000002
【図２】
0005868154.tif 000003
【図３】
0005868154.tif 000004
【図４】
0005868154.tif 000005
【図５】
0005868154.tif 000006
【図６】
0005868154.tif 000007
【図７】
0005868154.tif 000008
【図８】
0005868154.tif 000009
【図９】
0005868154.tif 000010
【図１０】
0005868154.tif 000011
【図１１】
0005868154.tif 000012
【図１２】
0005868154.tif 000013
【図１３】
0005868154.tif 000014
【図１４】
0005868154.tif 000015
【図１５】
0005868154.tif 000016
【図１６】
0005868154.tif 000017
【図１７】
0005868154.tif 000018
【図１８】
0005868154.tif 000019
【図１９】
0005868154.tif 000020
【図２０】
0005868154.tif 000021
【図２１】
0005868154.tif 000022
【図２２】
0005868154.tif 000023
【図２３】
0005868154.tif 000024
【図２４】
0005868154.tif 000025
【図２５】
0005868154.tif 000026
【図２６】
0005868154.tif 000027
【図２７】
0005868154.tif 000028
【図２８】
0005868154.tif 000029
【図２９】
0005868154.tif 000030
【図３０】
0005868154.tif 000031
【図３１】
0005868154.tif 000032
【図３２】
0005868154.tif 000033
【図３３】
0005868154.tif 000034
【図３４】
0005868154.tif 000035
【図３５】
0005868154.tif 000036
【図３６】
0005868154.tif 000037